(57)【要約】【課題】インターフォン機能を利用して異常情報等を伝達できる音声出力システムを提供する。【解決手段】建て屋の一箇所に設けられた主端末２と、主端末２が設置された建て屋内の異なる場所に設置され少なくとも音声出力手段３ｇとを持つ従端末３と、主端末２が設置された建て屋内に設けられ検出した情報を主端末２へ発信するガスセンサ５や窓開閉センサ６等の検出機器と、主端末２と従端末３との間で接続され少なくとも主端末２から従端末３への音声信号の送信を可能とする音声通信手段１１と、主端末２と検出機器との間で情報を相互に通信する検出機器通信手段１３とを備え、主端末２は機器通信手段１３により取得した情報に基づき従端末３に対し音声信号を音声通信手段１１を通じて送信し、従端末３は主端末２から受信した音声信号を音声出力手段１１から出力させる音声出力システム。【選択図】　図１
2004133757.tif 000002
【特許請求の範囲】
【請求項１】
建て屋の一箇所に設けられた主端末と、前記主端末が設置された建て屋内の異なる場所に設置され少なくとも音声出力手段とを持つ従端末と、前記主端末が設置された建て屋内に設けられ検出した情報を主端末へ発信する検出機器と、前記主端末と従端末との間で接続され少なくとも主端末から従端末への音声信号の送信を可能とする音声通信手段と、前記主端末と検出機器との間で情報を相互に通信する機器通信手段とを備え、主端末は前記機器通信手段により取得した情報に基づき従端末に対し音声信号を音声通信手段を通じて送信し、従端末は主端末から受信した音声信号を音声出力手段から出力させる音声出力システム。
【請求項２】
検出機器は記憶手段を持ち、前記記憶手段に音声情報を記憶し、検出情報発生時に音声情報を主端末に送信する請求項１に記載の音声出力システム。
【請求項３】
主端末は表示手段を持ち、検出機器は記憶手段に音声情報とともに表示情報を記憶し、検出情報発生時に音声情報とともに表示情報を主端末に送信する請求項２に記載の音声出力システム。
【請求項４】
建て屋の一箇所に設けられた主端末と、前記主端末が設置された建て屋内の異なる場所に設置され少なくとも音声出力手段とを持つ従端末と、前記主端末が設置された建て屋内に設けられ検出した情報を主端末へ発信する検出機器と、各種データを記憶手段に記憶し接続された主端末と通信するサーバーと、前記主端末と従端末との間で少なくとも音声信号の交換を可能とする音声通信手段と、前記主端末と検出機器との間で情報を相互に通信する機器通信手段と、前記主端末とサーバーとの間でデータの通信を行うサーバー通信手段とを備え、前記主端末は前記機器通信手段により取得した検出機器からの検出情報に基づき従端末に対し音声信号を音声通信手段を通じて出力し、前記従端末は音声通信手段から取得した音声を音声出力手段から出力させ、前記主端末は検出機器の検出情報をサーバーへ送信する音声出力システム。
【請求項５】
主端末は検出機器の検出情報と共に音声通信手段を通じて従端末から音声出力をさせたことをサーバーへ送信する請求項４に記載の音声出力システム。
【請求項６】
サーバーは外部ネットワークへ接続され、主端末から受信した情報を外部ネットワークから閲覧可能に保存する請求項４または５に記載の音声出力システム。
【請求項７】
建て屋の一箇所に設けられた主端末と、前記主端末が設置された建て屋内の異なる場所に設置され少なくとも音声出力手段とを持つ従端末と、前記主端末が設置された建て屋内に設けられ検出した情報を主端末へ発信する検出機器と、各種データを記憶手段に記憶し接続された主端末と通信を行うサーバーと、前記主端末と従端末との間で少なくとも音声信号の交換を可能とする音声通信手段と、前記主端末と検出機器との間で情報を相互に通信する機器通信手段と、前記主端末とサーバーとの間でデータの通信を行うサーバー通信手段とを備え、前記主端末は前記機器通信手段により取得した検出機器からの検出情報に基づき従端末に対し音声信号を音声通信手段を通じて出力し、前記従端末は音声通信手段から取得した音声を音声出力手段から出力させ、前記主端末は従端末に送信する音声情報をあらかじめサーバーから受信して記憶する音声出力システム。
【請求項８】
検出機器は住宅内へ進入を検出するセキュリティセンサであり、主端末は前記セキュリティセンサからの異常情報に基づいて従端末の音声出力手段から異常警報音声を出力させる請求項１〜７のいずれか１項に記載の音声出力システム。
【請求項９】
検出機器はガスセンサであり、主端末は前記ガスセンサからの異常情報に基づいて従端末の音声出力手段から異常警報音声を出力させる請求項１〜７のいずれか１項に記載の音声出力システム。
【発明の詳細な説明】
【０００１】
【発明の属する技術分野】
本発明は異常時などに警報を発声させる音声出力システムに関するものである。
【０００２】
【従来の技術】
従来の音声出力システムは以下のような構成となっていた。図９は従来例の給湯遠隔制御システムのブロック図である。１０１ａは給湯リモコン、１０１ｂはふろリモコン、１０２はメインコントローラであり、それぞれ、音声伝達手段１０３により接続されて相互に音声通信を行なう。給湯リモコン１０１ａは音声を入力するマイク１０４ａ、マイクの出力を増幅するマイクアンプ１０５ａ、マイクアンプの出力を変調して音声伝達手段１０３へ出力する変調手段１０６ａ、音声伝達手段１０３から受信した音声データを音声信号に復調する復調手段１０７ａ、復調手段１０７ａの出力を増幅するスピーカーアンプ１０８ａ、スピーカアンプ１０８ａの出力を音声として出力するスピーカ１０９ａ、マイク１０４ａまたは復調回路１０７ａからの音声信号を録音して保持し、録音した音声信号を再生時にスピーカアンプ１０８ａへ出力する録音保持回路１１０ａとからなる。一方、ふろリモコン１０１ｂは、音声を入力するマイク１０４ｂ、マイクの出力を増幅するマイクアンプ１０５ｂ、マイクアンプの出力を変調して音声伝達手段１０３へ出力する変調手段１０６ｂ、音声伝達手段１０３から受信した音声データを音声信号に復調する復調手段１０７ｂ、復調手段１０７ｂの出力を増幅するスピーカーアンプ１０８ｂ、スピーカアンプ１０８ｂの出力を音声として出力するスピーカ１０９ｂとからなる。
【０００３】
給湯リモコン１０１ａとふろリモコン１０１ｂとの間で音声通信を行なう場合、給湯リモコンのマイク１０４ａから音声を入力すると、マイク１０４ａが入力された音声を電気信号に変換し、マイクアンプ１０５ａで増幅され、変調回路１０６ａから音声伝達手段１０３に出力されてふろリモコン１０１ｂに伝達され、ふろリモコン１０１ｂでは復調回路１０７ｂが変調された音声信号を復調し、スピーカーアンプ１０８ｂが音声信号を増幅し、スピーカー１０９ｂから音声として出力する。ふろリモコン１０１ｂから給湯リモコン１０１ａへの通話も機器が変わるが同様な経路で音声が伝達され、相互に通話を行なうことができる。なお、給湯リモコン１０１ａには録音保持回路１１０が設けられており、給湯リモコン１０１ａのマイク１０４ａから入力された音声を録音し、必要に応じてスピーカ１０９ａから出力させることができる。これにより、給湯リモコン１０１ａにおいて音声を伝言として録音し、家族のほかの人に音声で用事を伝える伝言メモ機能を実現できる。なお、録音保持回路１１０は、変調回路１０６ａと復調回路１０７ａと接続されており、ふろリモコン１０１ｂのマイク１０４ｂから入力された音声を音声伝達手段１０３を通じて録音し、録音された音声を音声伝達手段１０３を通じてふろリモコン１０１ｂのスピーカー１０９ｂから出力させることにより、録音保持回路のないふろリモコン１０１ｂでも伝言メモ機能を実現できる（例えば、特許文献１参照。）。
【０００４】
【特許文献１】
特開２００２−１６２１０５号公報
【０００５】
【発明が解決しようとする課題】
しかしながら、前記従来の構成では、音声伝達手段を通じて風呂リモコンから台所リモコンへ音声を録音したり再生したりできるが、台所リモコン、ふろリモコン以外の機器から得た音声信号があってもふろリモコンから再生させる構成は開示されていない。
【０００６】
本発明は、前記従来の課題を解決するもので、台所リモコンが音声以外の情報を取得したときに簡単な構成で風呂リモコンから確認できる音声出力システムを提供することを目的とする。
【０００７】
【課題を解決するための手段】
前記従来の課題を解決するために、本発明の音声出力システムは、建て屋の一箇所に設けられ少なくとも音声入力手段と音声出力手段とを持つ主端末と、主端末とは異なる場所に設置され少なくとも音声入力手段と音声出力手段とを持つ従端末と、主端末と従端末との間で少なくとも音声信号の交換を可能とする音声通信手段と、主端末に設置され従端末以外の機器と情報を相互に通信する情報通信手段とを備え、主端末は前記情報通信手段により取得した情報に基づき従端末に対し音声信号を音声通信手段を通じて出力し、従端末は音声通信手段から取得した音声を音声出力手段から出力させる音声出力システムとしたものである。
【０００８】
これによって、主端末と従端末は音声通信手段により相互に音声通話を行ない、それぞれの音声入力手段から入力された音声信号を通信し、相手の音声入力手段から入力された音声信号を音声出力手段から出力する。また、主端末は情報通信手段を通じて従端末以外の機器から取得した情報に基づき、音声信号を従端末に音声通信手段を通じて出力し、従端末は音声通信手段からの取得した音声を出力させることができる。
【０００９】
【発明の実施の形態】
請求項１に記載の発明は、建て屋の一箇所に設けられた主端末と、前記主端末が設置された建て屋内の異なる場所に設置され少なくとも音声出力手段とを持つ従端末と、前記主端末が設置された建て屋内に設けられ検出した情報を主端末へ発信する検出機器と、前記主端末と従端末との間で接続され少なくとも主端末から従端末への音声信号の送信を可能とする音声通信手段と、前記主端末と検出機器との間で情報を相互に通信する検出情報通信手段とを備え、主端末は前記情報通信手段により取得した情報に基づき従端末に対し音声信号を音声通信手段を通じて送信し、従端末は主端末から受信した音声信号を音声出力手段から出力させる構成とすることにより、主端末は検出情報通信手段を通じて検出機器から取得した情報に基づき、音声信号を従端末に音声通信手段を通じて出力し、従端末は音声通信手段を通じて主端末から受信した音声を出力させることになり、検出機器から主端末が得た検出情報に基づいて従端末から音声を出力させることができるので、簡単な構成で必要な従端末から未知の音声を出力させることができる。
【００１０】
請求項２に記載の発明は、検出機器が記憶手段を持ち、前記記憶手段に音声情報を記憶し、検出情報発生時に音声情報を主端末に送信する構成とすることにより、検出機器は記憶手段に音声情報を記憶し、検出情報発生時に検出情報通信手段を通じて主端末に音声情報を送信する。主端末は検出機器から取得した音声情報に基づき音声信号を従端末に音声通信手段を通じて出力し、従端末は音声通信手段から取得した音声を出力させることになり、検出機器が記憶手段に記憶している音声情報に基づいて従端末から音声を出力するので、検出機器が変わっても簡単な構成で適切な音声を従端末から出力させることができる。
【００１１】
請求項３に記載の発明は、主端末は表示手段を持ち、検出機器は記憶手段に音声情報とともに表示情報を記憶し、検出情報発生時に音声情報とともに表示情報を主端末に送信する構成とすることにより、検出機器は記憶手段に音声情報と表示情報を記憶し、検出情報発生時に検出情報通信手段を通じて主端末に音声情報と表示情報を送信する。主端末は検出機器から取得した表示情報に基づき表示手段に表示を行うと共に、音声情報に基づき音声信号を従端末に音声通信手段を通じて出力し、従端末は音声通信手段から取得した音声を出力させることになり、従端末で音声情報を主端末の表示手段の表示情報で確認できるので、機器の情報を使用者に確実に伝達することができる。
【００１２】
請求項４に記載の発明は、建て屋の一箇所に設けられた主端末と、前記主端末が設置された建て屋内の異なる場所に設置され少なくとも音声出力手段とを持つ従端末と、前記主端末が設置された建て屋内に設けられ検出した情報を主端末へ発信する検出機器と、各種データを記憶手段に記憶し接続された主端末と通信するサーバーと、前記主端末と従端末との間で少なくとも音声信号の交換を可能とする音声通信手段と、前記主端末と検出機器との間で情報を相互に通信する検出情報通信手段と、前記主端末とサーバーとの間でデータの通信を行うサーバー通信手段とを備え、前記主端末は前記検出情報通信手段により取得した検出機器からの検出情報に基づき従端末に対し音声信号を音声通信手段を通じて出力し、前記従端末は音声通信手段から取得した音声を音声出力手段から出力させ、前記主端末は検出機器の検出情報をサーバーへ送信する構成とすることにより、主端末は検出情報通信手段を通じて検出機器から取得した情報に基づき、音声信号を従端末に音声通信手段を通じて出力し、従端末は音声通信手段からの取得した音声を出力させる。さらに、主端末は検出機器の検出情報をサーバーへ送信することになり、サーバーが検出機器の検出情報を確認することができる。
【００１３】
請求項５に記載の発明は、主端末は検出機器の検出情報と共に音声通信手段を通じて従端末から音声出力をさせたことをサーバーへ送信する構成とすることにより、主端末は検出情報通信手段を通じて検出機器から取得した情報に基づき、音声信号を従端末に音声通信手段を通じて出力し、従端末は音声通信手段からの取得した音声を出力させる。さらに、主端末は検出機器の検出情報と音声通信手段を通じて従端末から音声出力をさせたことをサーバーへ送信することになり、サーバーが検出機器の検出情報と音声通信手段を通じて従端末から音声出力をさせたことを確認することができる。
【００１４】
請求項６に記載の発明は、サーバーは外部ネットワークへ接続され、主端末から受信した情報を外部ネットワークから閲覧可能に保存する構成とすることにより、主端末は検出情報通信手段を通じて検出機器から取得した検出情報に基づき、音声信号を従端末に音声通信手段を通じて出力し、従端末は音声通信手段からの取得した音声を出力させる。さらに、主端末は検出機器の検出情報または検出機器からの検出情報に基づいて従端末から音声を出力させたことをサーバーへ送信し、サーバーでは受信した検出情報を閲覧可能に保存することになり、外部ネットワークに接続された機器から、検出機器からの検出情報または検出機器からの検出情報に基づいて従端末から音声を出力させたことを確認することができる。
【００１５】
請求項７に記載の発明は、建て屋の一箇所に設けられた持つ主端末と、前記主端末が設置された建て屋内の異なる場所に設置され少なくとも音声入力手段と音声出力手段とを持つ従端末と、前記主端末が設置された建て屋内に設けられ検出した情報を主端末へ発信する検出機器と、各種データを記憶手段に記憶し接続された主端末と通信を行うサーバーと、前記主端末と従端末との間で少なくとも音声信号の交換を可能とする音声通信手段と、前記主端末と検出機器との間で情報を相互に通信する検出情報通信手段と、前記主端末とサーバーとの間でデータの通信を行うサーバー通信手段とを備え、前記主端末は前記検出情報通信手段により取得した検出機器からの検出情報に基づき従端末に対し音声信号を音声通信手段を通じて出力し、前記従端末は音声通信手段から取得した音声を音声出力手段から出力させ、前記主端末は従端末に送信する音声情報をあらかじめサーバーから受信して記憶する構成とすることにより、主端末は検出機器から検出情報を受信したときに従端末に送信する音声情報をあらかじめサーバーから受信して記憶し、検出機器から検出情報を受信すると記憶した音声情報に基づいて従端末に音声信号を出力し、従端末は音声出力手段から受信した音声信号を出力することになり、サーバーから必要な音声情報を受信して記憶するので、検出機器に音声情報を記憶させる必要がなく、また、検出機器を設置後でも簡単に出力させる音声を変更することができる。
【００１６】
請求項８に記載の発明は、検出機器は住宅内へ進入を検出するセキュリティセンサであり、主端末は前記セキュリティセンサからの異常情報に基づいて従端末の音声出力手段から異常警報音声を出力させる構成とすることにより、主端末は検出情報通信手段を通じてセキュリティセンサから取得した情報に基づき、セキュリティ警報音声を従端末に音声通信手段を通じて出力し、従端末は音声通信手段から取得したセキュリティ警報音声を出力させることになり、部外者が住宅内に侵入したことをセキュリティセンサが検出すると、セキュリティセンサからの通信により主端末が得た情報に基づいて従端末から音声を出力させることができるので、新しいセキュリティセンサが追加されたり、一部のセンサが変更されたりしても、簡単な構成で従端末から対応するセンサからの未知の音声を出力させることができ、セキュリティセンサの追加や変更が簡単に行うことができる。
【００１７】
請求項９に記載の発明は、検出機器はガスセンサであり、主端末は前記ガスセンサからの異常情報に基づいて従端末の音声出力手段から異常警報音声を出力させる構成とすることにより、主端末は検出情報通信手段を通じてガスセンサから取得した情報に基づき、ガス異常警報音声を従端末に音声通信手段を通じて出力し、従端末は音声通信手段から取得したガス異常警報音声を出力させることになり、ガスセンサがガス漏れ等のガス異常を検出すると、ガスセンサからの通信により主端末が得た情報に基づいて従端末が未知の音声を従端末から音声として出力させることができるので、簡単な構成でガス漏れ等の緊急に対処が必要な情報をさまざまな場所に設置された端末から報知させることができる。
【００１８】
【実施例】
以下本発明の実施例について、図面を参照しながら説明する。
【００１９】
（実施例１）
実施例１の音声出力機能付端末はふろ給湯器の台所リモコンに用いた例を示す。図１は本発明の実施例１の音声出力システムの全体ブロック図、図２〜７はシステムの主端末等の詳細ブロック図、図８は主端末である台所リモコンの外観図である。図中１はデータを端末に配信するサーバーであるシステムサーバー、２は主端末である台所リモコン、３は浴室リモコン、４は熱源機、５は検出機器であるガスセンサ、６は検出機器でありセキュリティセンサである窓開閉センサ、７はメールを送受信するメールサーバ、８はデータを外部ネットワークであるインターネットを通じて接続された携帯端末等の端末から閲覧可能にするｗｅｂサーバー、９は携帯端末であり、システムサーバー１はふろ給湯機の販売元のサーバー設置業者Ａに設置され、台所リモコン２、浴室リモコン３、熱源機４、ガスセンサ５、窓開閉センサ６はふろ給湯器が設置されたふろ給湯機設置住宅Ｂに設置される。システムサーバー１と台所リモコン２とは公衆回線網１０により接続されて相互にデータの送受信が可能となっており、台所リモコン２と浴室リモコン３と熱源機４との間は熱源機制御通信手段１２により接続されて台所リモコン２及び浴室リモコン３から熱源機４の操作を行なうとともに、台所リモコン２及び浴室リモコン３に熱源機４の運転状況のモニター表示を行なえるようにしている。また、台所リモコン２と浴室リモコン３との間は音声通信手段１１により接続され、台所リモコン２と浴室リモコン３との間で相互に音声を交換するインターフォン機能を実現できる構成となっている。さらに、台所リモコン２とガスセンサ５と窓開閉センサ６とは機器通信手段１３により接続されており、ガスセンサ５がガス異常を検出したり、窓開閉センサ６が窓の開閉を検出すると検出情報が台所リモコン２へ伝達され、台所リモコン２では必要に応じてセンサの状況を表示したり、異常情報を報知したりすることができる。
【００２０】
システムサーバー１はシステムサーバー１を制御するサーバー制御手段１ａ、システムサーバー１へデータの入力をしたりシステムサーバー１の操作を行なうサーバー入力手段１ｂ、システムサーバー１の動作状況など必要な情報を表示するサーバー表示手段１ｃ、データー入力手段１ｂから入力されたり台所リモコン２から受信したデータを記憶するサーバー記憶手段１ｄ、システムサーバー１と台所リモコン２とを公衆回線網１０を通じて接続するサーバー台所リモコン通信手段１ｅ、メールサーバー７やｗｅｂサーバー８と通信するゲートウェイ１ｆとからなる。
【００２１】
また、台所リモコン２は、台所リモコン２を制御する台所リモコン制御手段２ａ、台所リモコン２を操作する台所リモコン操作手段２ｂ、熱源機４の動作状況など必要な情報を表示する台所リモコン表示手段２ｃ、あらかじめ登録されたデーターや台所リモコン２から受信したデータを記憶する台所リモコン記憶手段２ｄ、浴室リモコン３や熱源機４と通信して熱源機の制御を行なうための通信を行なう台所リモコン熱源機通信手段２ｅ、台所リモコン２へ音声を入力するための台所リモコン音声入力手段２ｆ、台所リモコンから音声を出力する台所リモコン音声出力手段２ｇ、台所リモコン音声入力手段２ｆから入力された音声信号を台所リモコン記憶手段に記憶させるか又は浴室リモコン３へ送信するかを切り換える台所リモコン音声切換手段２ｈ、浴室リモコン３と音声信号を送受信するための台所リモコン音声送受信手段２ｉ、台所リモコン音声出力手段２ｇから出力する音声の音量を変更する音量変更手段である台所リモコン音量変更手段２ｊ、台所リモコン２とシステムサーバー１とを公衆回線網１０を通じて接続する台所リモコンサーバー通信手段２ｋ、ガスセンサ５や窓開閉センサ６と機器通信手段１３を通じて通信を行う台所リモコン機器通信手段２ｌ、システムサーバー１やガスセンサ５、窓開閉センサ６から受信した音声データを音声通信手段１１により音声通信可能な音声信号に変換する音声信号変換手段２ｍとからなる。なお、台所リモコン操作手段２ｂには給湯運転ボタン２ｂ１、ふろ自動ボタン２ｂ２、通話ボタン２ｂ３、録音再生ボタン２ｂ４、矢印ボタン２ｂ５、決定ボタン２ｂ６の各ボタンがある。なお、台所リモコン音声出力手段２ｇはスピーカ、台所リモコン音声入力手段２ｆはマイクである。
【００２２】
また、浴室リモコン３は、浴室リモコン３を制御する浴室リモコン制御手段３ａ、浴室リモコン３を操作する呼び出し手段である浴室リモコン操作手段３ｂ、熱源機４の動作状況など必要な情報を表示する浴室リモコン表示手段３ｃ、あらかじめ登録されたデーターや台所リモコン２から受信したデータを記憶する浴室リモコン記憶手段３ｄ、台所リモコン２や熱源機４と通信して熱源機の制御を行なうための通信を行なう浴室リモコン熱源機通信手段３ｅ、浴室リモコン３へ音声を入力するための浴室リモコン音声入力手段３ｆ、浴室リモコンから音声を出力する浴室リモコン音声出力手段３ｇ、浴室リモコン音声入力手段３ｆから入力された音声信号を浴室リモコン記憶手段に記憶させるか又は台所リモコン２へ送信するかを切り換える浴室リモコン音声切換手段３ｈ、台所リモコン２と音声信号を送受信するための浴室リモコン音声送受信手段３ｉ、浴室リモコン音声出力手段３ｇから出力する音声の音量を変更する浴室リモコン音量変更手段３ｊとからなる。なお、浴室リモコン記憶手段３ｈは、あらかじめ決められたデータのみを記憶可能なＲＯＭ（Ｒｅａｄ　ｏｎｌｙ　ｍｅｍｏｒｙ）である。なお、浴室リモコン音声出力手段３ｇはスピーカ、浴室リモコン音声入力手段３ｆはマイクである。
【００２３】
また、熱源機４は、熱源機を制御する熱源機制御手段４ａ、台所リモコン２および浴室リモコン３と通信して操作情報の受信や運転状況の送信を行なう熱源機リモコン通信手段４ｂ、熱源機制御手段４ａの指示により温水を生成する熱交換器４ｃ、熱交換器の温水の流量を検出する流量センサ４ｄ、熱交換器４ｃの燃焼の有無を検出する燃焼センサ４ｅ、ふろの湯量を検出するふろ湯量センサ４ｆとからなる。
【００２４】
また、ガスセンサ５は、ガスセンサを制御するガスセンサ制御手段５ａ、ガスセンサの異常情報を機器通信手段１３を通じて台所リモコン２へ送信するガスセンサ機器通信手段５ｂ、ガス異常を検出するガス検出手段５ｃ、ガス異常を検出した場合に台所リモコン２等から出力させる音声データを記憶させるガスセンサ記憶手段５ｄとからなる。
【００２５】
また、窓開閉センサ６は、窓開閉センサを制御する窓開閉センサ制御手段６ａ、窓開閉センサの異常情報を機器通信手段１３を通じて台所リモコン２へ送信する窓開閉センサ機器通信手段６ｂ、窓開閉を検出する窓開閉検出手段６ｃ、窓開閉異常を検出した場合に台所リモコン２等から出力させる音声データを記憶させる窓開閉センサ記憶手段６ｄとからなる。
【００２６】
以上の構成による作用を示す。熱源機設置住宅の住人が台所で温水を利用する場合、まず台所リモコン操作手段２ｂの運転ボタン２ｂ１を押すと、台所リモコン音声出力手段２ｇから「給湯機の運転を開始します」と音声で報知し、給湯機が運転を開始させる。運転ボタン２ｂ１を押して運転ＯＮさせる指示は、台所リモコン熱源機通信手段２ｅから熱源機制御通信手段１２を通じて熱源機４へ伝達され、熱源機４は熱源機リモコン通信手段４ｂにより受信した運転ＯＮ指示の電文により熱源機制御手段４ａが熱源機の運転をＯＮする。この状態で、台所の温水のカラン（図示せず）を開くと温水の水路が開き熱源機の温水路に上水道から供給された水が流れ、温水路に設置された流量センサ４ｄが温水路の水流を検出して熱交換器を点火し燃焼による温水の生成を開始する。熱交換器の燃焼は燃焼センサ４ｅにより検出され、燃焼中であるという情報が熱源機リモコン通信手段４ｂから熱源機制御通信手段１２により台所リモコン２と浴室リモコンに送信され、台所リモコン２と浴室リモコン３では台所リモコン熱源機通信手段２ｅ、浴室リモコン熱源機通信手段３ｅが受信したデータに基づき、台所リモコン表示手段２ｃ、浴室リモコン表示手段３ｃに燃焼マークを表示して、熱源機の燃焼を報知する。熱交換器４ｃで生成された温水は住宅内の温水の水路を経て台所のカランから流出する。カランを閉じると、温水の水路が閉じ、流量センサ４ｄが水流の停止を検出し、熱交換器を消火し温水の生成を停止する。燃焼が停止したことを燃焼センサ４ｅが検出すると、燃焼中でないという情報が熱源機リモコン通信手段４ｂから熱源機制御通信手段１２により台所リモコン２と浴室リモコンに送信され、台所リモコン２と浴室リモコン３では台所リモコン熱源機通信手段２ｅ、浴室リモコン熱源機通信手段３ｅが受信したデータに基づき、台所リモコン表示手段２ｃ、浴室リモコン表示手段３ｃに表示されている燃焼マークを消去し、燃焼中でないことを明示する。
【００２７】
一方、ふろを沸かす場合では、台所リモコン操作手段２ｂのふろ自動ボタン２ｂ２を押すと、台所リモコン音声出力手段２ｇから「ふろ自動運転を開始します」と音声で報知し、ふろ自動運転を開始する。ふろ自動ボタン２ｂ２を押してふろ自動を運転ＯＮさせる指示は、台所リモコン熱源機通信手段２ｅから熱源機制御通信手段１２を通じて熱源機４へ伝達され、熱源機４は熱源機リモコン通信手段４ｂにより受信したふろ自動ＯＮ指示の電文により熱源機制御手段４ａが熱源機のふろ自動運転を開始する。ふろ自動では、ふろ湯量センサ２ｆが浴槽内の残り湯量を検出し、検出した残り湯量に応じてあらかじめ設定された水量のお湯を張り、湯温をあらかじめ設定された温度に調整し、あらかじめ設定された水量と湯温に到達するとお湯張りが完了して保温へ移行する。保温では、ふろ湯温センサ４ｇにより湯温の低下を検出すると追い炊きを自動で行ない、設定された湯温に戻すという動作を繰り返し、あらかじめ設定された保温時間の間、この動作を継続する。このような熱源機の動作内容は熱源機制御通信手段１２を経てにより熱源機４から台所リモコン２および浴室リモコンへ送信され、台所リモコン２と浴室リモコン３では台所リモコン熱源機通信手段２ｅ、浴室リモコン熱源機通信手段３ｅが受信したデータに基づき、熱源機４の運転状況に応じた表示を台所リモコン表示手段２ｃ、浴室リモコン表示手段３ｃに行なうとともに、熱源機４の運転状況に応じた音声出力を台所リモコン音声出力手段２ｇと浴室リモコン音声出力手段３ｇとから行なう。
【００２８】
カランから出湯するお湯の温度、ふろ自動で用いるお湯張り水量、温度はあらかじめ台所リモコンまたは浴室リモコンの各リモコン操作手段により入力されて熱源機へ送信され、熱源機記憶手段により設定値を記憶する。これらの設定値は浴室リモコン３または台所リモコン２で設定されるたびに熱源機に送信され、新しい設定値が送信されるたびに設定値を入れ替える。また、設定や操作の際に台所リモコン２あるいは浴室リモコン３の各音声出力手段２ｇ、３ｇから出力させる音声はデジタルデータとしてそれぞれ台所リモコン記憶手段２ｄ、浴室リモコン記憶手段３ｄに記憶されており設定や操作に対応した音声ファイルを再生して音声出力している。これらの音声データを音声として出力する際は音声信号変換手段２ｍにより電気信号である音声信号に変換して音声切替手段２ｈを経て音声出力手段２ｇから音声として出力する。
【００２９】
また、本実施例では台所リモコンと浴室リモコンの間にインターフォン機能を有しており、相互に会話を行なうことができる。台所から浴室へ通話したい場合は、台所リモコン操作手段２ｂに設置された通話ボタン２ｂ３を押し、押している間台所リモコンから浴室リモコンへ通話可能としている。通話ボタン２ｂ３を押すと台所リモコン２が話手となったことを宣言する電文が台所リモコン熱源機通信手段２ｅから熱源機制御通信手段１２を通じて浴室リモコン３へ伝達されるとともに、台所リモコン制御手段２ａが台所リモコン音声切換手段２ｈを操作し、台所リモコン音声入力手段２ｆで採取して電気信号に変換した音声信号を台所リモコン音声送受信手段２ｉへ送信し、台所リモコン音声送受信手段２ｉは受信した音声信号を音声通信手段１１を介して音声信号を送信可能な信号に変調した上で音声通信手段１１へ出力し浴室リモコン３へ送信する。浴室リモコン３では、浴室リモコン熱源機通信手段４ｂにより受信した台所話手の電文により浴室リモコン制御手段３ａが浴室リモコン音声切換手段３ｈを操作し、浴室リモコン音声送受信手段２ｉが台所リモコン２から受信した信号を復調して音声信号へ変換し、浴室リモコン音声出力手段３ｇから出力させる。浴室では、浴室リモコン音声出力手段３ｇから出力される音量が小さすぎたり大きすぎたりした場合は、浴室リモコン操作手段３ｂを操作して音量を変更できる。この操作を行うと浴室リモコン制御手段３ａの指示により浴室リモコン音量変更手段３ｊの増幅率が変化し浴室リモコン音声出力手段３ｇから出力される音量が変化する。
【００３０】
一方、浴室から台所への通話は、台所リモコン操作手段２ｂの通話ボタン２ｂ３または浴室リモコン操作手段３ｂの通話ボタン（図示せず）のどちらかを押した後通話ボタンを離した時に通話可能となり、通話ボタンを押すことなく浴室の音声を台所で聞くことができる構成としている。この時、浴室が話者となる電文の送受信と浴室リモコン音声入力手段から採取され信号変換された音声信号は、それぞれ台所から浴室への通話と逆の経路を経て台所リモコンへ伝達され、浴室内の音声は台所リモコン音声出力手段２ｇから出力される。台所でも、浴室の場合と同様に、台所リモコン音声出力手段２ｇから出力される音量が小さすぎたり大きすぎたりした場合は、台所リモコン操作手段２ｂを操作して音量を変更できる。この操作を行うと台所リモコン制御手段２ａの指示により台所リモコン音量変更手段２ｊの増幅率が変化し台所リモコン音声出力手段２ｇから出力される音量が変化する。この通話を停止する際は、台所または浴室の通話ボタンを短時間押すことにより停止させるようにしている。
【００３１】
また、本実施例の台所リモコン２は台所リモコンサーバー通信手段１ｅを持ち、公衆回線網１０を通じて熱源機設置住宅Ｂから離れたサーバー業者Ａ側に設置されたシステムサーバー１と通信し、システムサーバー１と台所リモコン２間でデータを送受信することにより従来のふろ給湯システムにないサービスを提供できるシステムとしている。ここで提供するサービスは、システムサーバー１から台所リモコン２へはサーバー記憶手段１に記憶されたコンテンツの閲覧サービスがあり、また、台所リモコン２からシステムサーバー１へは、熱源機の運転情報のサーバーへのアップロードがある。コンテンツの閲覧は、台所リモコンを情報端末として用いてサーバーにある各種情報を台所リモコンの画面で閲覧するもので、コンテンツとしては、料理の作り方を検索して表示するレシピ、近所のスーパーなどの特売情報を表示するお買い物情報、ガス機器や電子レンジなど台所周りで使用する機器の便利な使い方を紹介したり困った時に対処方法を指南する生活便利帳がある。また、運転情報は熱源機の運転時間や燃焼時間、燃焼量などの通常運転データと、異常検出時の異常運転データとからなり、これらの情報により、サーバー設置業者は、熱源機のメンテナンスの間隔を変更したり、異常発生時に即座にサービスマンを派遣を行なうなどの対応を取ることができる。
【００３２】
また、本実施例のガスセンサ５は、ガス検出手段５ｃがガス漏れを検出するとガスセンサ制御手段５ａに出力し、ガスセンサ制御手段５ａがガス異常と判定すると、機器通信手段５ｂから機器通信手段１３を通じて台所リモコン２にガス異常情報を送信し、台所リモコン２は受信したガス異常情報に基づいてガス異常情報を台所リモコン表示手段２ｃへ表示する。また、ガスセンサ制御手段は検出したガス異常状況に応じて、台所リモコン２から報知する音声データを記憶手段５ｄから選択して機器通信手段５ｂから機器通信手段１３を通じて台所リモコン２に出力し、台所リモコン２は音声信号変換手段２ｍにより受信した音声データを音声信号に変換して台所リモコン音声出力手段から出力させている。
【００３３】
また、本実施例の窓開閉センサ６は、窓開閉検出手段６ｃが窓の開または閉を検出すると窓開閉センサ制御手段６ａに出力し、窓開閉センサ制御手段６ａが窓開と判定すると、機器通信手段１３を通じて台所リモコン２に窓開情報を送信する。台所リモコン２では、使用者が外出する際にセキュリティ設定を行い、窓開となった場合に警報を発するように設定した場合、台所リモコン２は受信した窓開情報に基づいて台所リモコン音声出力手段から窓開情報に基づく音声が出力される。この音声は窓開閉センサ記憶手段６ｄに記憶され、窓開閉センサ制御手段６ａが窓開閉センサ記憶手段６ｄに記憶された音声データから選択して機器通信手段５ｂから機器通信手段１３を通じて台所リモコン２に出力し、台所リモコン２は音声信号変換手段２ｍにより受信した音声データを音声信号に変換して台所リモコン音声出力手段から出力させている。このような構成により、台所リモコンにあらかじめガスセンサや窓開閉センサなどさまざまなセンサの異常情報に対応する音声データを記憶させていなくても、接続されたガスセンサ５や窓開閉センサ６に記憶された自身の機能や能力に応じて必要な音声を台所リモコンから出力させることが可能で、台所リモコン２が未知のセンサからの情報であっても最適な音声出力を台所リモコンから出力させることができる。なお、ガスセンサ５や窓開閉手段６の記憶手段５ｄ、６ｄに記憶させている音声データはデジタルデータとして保存され、音声データは音声信号変換手段２ｍにより電気信号である音声信号に変換されて台所リモコン音声出力手段２ｇから音声として出力される。
【００３４】
また、ガスセンサ５が検出するガス漏れ情報は緊急を要する場合があり、浴室で入浴している場合に異常を検出すると浴室にも知らせる方がよい。本実施例では、台所リモコンと浴室リモコン間の音声通信手段１１を介した通話機能を用いて、台所リモコンが受信した音声データを音声信号変換手段２ｍにより音声信号に変換した上で浴室リモコン３から音声として出力できるので、入浴中でもガス異常という緊急情報を音声を使って確実に伝達することができる。窓開閉センサ６もガスセンサ５と同様な構成で台所リモコン２からだけでなく、浴室リモコン３からも音声で警報を発することができる。
【００３５】
また、窓開閉センサ等のセキュリティセンサはセンサの追加や変更が簡単にできるものが望ましく、この構成により、センサが異常を検出した場合に台所リモコン２や浴室リモコン３から報知する警報音声をセンサの記憶手段に記憶しているので、センサの追加や変更をするだけで警報音声もそれにあわせて変更され、簡単にセンサの追加や変更ができる。
【００３６】
さらに、本実施例の台所リモコン２は、ガスセンサ５からの音声を音声通信手段１１を通じて浴室リモコン３へ出力し、浴室リモコン音声出力手段３ｆからガス異常音声を出力させることができ、浴室にいる人に警報を知らせることができる。この構成により、あらかじめインターフォン機能付きの浴室リモコン３、台所リモコン２が設置された家庭において、台所リモコン２を交換するだけで、浴室リモコン３から台所リモコン２が受信したさまざまな音声情報を音声として出力させることが可能で、簡単な工事で、家庭内のさまざまな場所で必要な音声を出力させるという機能を追加させることができる。
【００３７】
なお、浴室リモコン３から警報を発するときは、台所リモコン表示手段２ｃに緊急情報の内容を示す表示を表示させている。これは、浴室リモコンでは音声で一時的に報知するだけなので、その内容を聞き取れなかったり、より詳しい情報を知りたい場合に、台所リモコン２の設置場所へ行き台所リモコン表示手段２ｃを確認すれば、それらの情報を得られるようにするためである。なお、警報時に台所リモコン表示手段２ｃから表示させる表示データは音声データと同様にガスセンサ５や窓開閉センサ６の記憶手段５ｄ、６ｄに記憶し、警報時に台所リモコンに送信している。
【００３８】
さらに、本実施例の音声出力システムでは、システムサーバー１をインターネットなど外部の通信手段と接続し外部へメールを送信したり、外部からデータを閲覧可能にしたりすることにより、インターネットに接続された携帯端末などへ緊急情報を送信したり、携帯端末から家の状態を確認したりすることができる。ガスセンサ５や窓開閉センサ６がガス異常や窓開閉異常といった異常状態を検出し、これらの情報が台所リモコン２へ送信されると、台所リモコンは公衆回線網１０を通じて接続されたシステムサーバー１へ情報を送信する。システムサーバー１はこれらの情報を受信すると、情報の種類を調べあらかじめ設定された重要な情報の場合にはサーバー通信手段１４によりメールサーバー７に接続し指定されたメールアドレスに対し台所リモコンから受信した情報を電子メールで送信する。また、システムサーバー１が受信した情報は電子メールで送信した情報も含めてｗｅｂサーバー８へ送信され、ｗｅｂサーバーではインターネット１５に接続された携帯端末８から内容を閲覧可能な情報として保存され、インターネット１５に接続された機器があれば、いつでもどこからでも状態を確認することができる。
【００３９】
なお、浴室リモコン３からの音声出力は、台所リモコン２からの指示により自動的に行う方法でも良いが、台所リモコン２がデータを受信したときにまずお知らせメロディ等で浴室にデータ受信を知らせ、浴室リモコンからの指示により音声信号を台所リモコンから浴室リモコンへ送信する構成としても良い。このような構成とすることにより、突然音声が出力されることがないので、突然の音声で浴室の人が驚いたり、最初の言葉が聞き取れなかったりすることがない。さらに、浴室で音声を聞いたことを台所リモコンに知らせることができるので、この情報をシステムサーバー１へ送信することにより、情報を使用者が確認したことをシステムサーバー１側で認識することが可能で、電子メールを送信した人がシステムサーバー１にアクセスすることにより、情報の伝達状況を確認することも可能となる。
【００４０】
なお、本実施例の音声出力システムでは、音声通信手段１１と熱源機制御通信手段１２と機器通信手段１０との三種の通信手段を分離して記載しているが、三種のうちいずれか二種、もしくは三種すべて物理的に同一の線を用いて周波数や時間、パケット等で分離して通信する構成としてもよい。
【００４１】
また、本実施例の音声出力システムは、給湯器の台所リモコン、浴室リモコンを例として表記しているが、家庭内、事務所内等の警報通信システムであり音声を通信できるシステムであればいかなる用途であっても適用できる。
【００４２】
また、本実施例の音声出力システムでは、セキュリティセンサとして窓開閉センサを用いているが、人感センサや赤外線センサなど使用者宅への他者の侵入を検出するセンサや、金庫などへのアクセスを検出するセンサなど、様々なセンサがあり、これらを含め、使用者宅内での異常を検出するものであればいかなる用途のものでも適用できる。
【００４３】
また、本実施例の音声出力システムでは、外部ネットワークとしてインターネットを用いているが、インターネットのようなグローバルアドレスによるネットワークでもよいし、プライベートアドレスによるイントラネットでもよいし、公衆回線網を利用して電話回線で接続して情報を通信する方法でもよく、外部ネットワークの形態を限定することを発明の目的とするものではない。さらに、メールサーバーやｗｅｂサーバーはサーバー設置者宅でなく、インターネット等のネットワークで接続された他の場所であってもよい。
【００４４】
また、本実施例の音声出力システムでは、インターフォンとして音声データを電気信号である音声信号に変換し、さらに音声送受信手段で変調、復調して音声通信手段で通信しているが、デジタルデータの音声データをそのまま、またはパケットに分割して送受信する等の方法でも適用できる。
【００４５】
【発明の効果】
以上のように、本発明によれば、他の機器からの通信により主端末が得た情報に基づいて従端末から音声を出力させることができるので、簡単な構成で必要な従端末から未知の音声を出力させることができる。
【図面の簡単な説明】
【図１】本発明の実施例１における音声出力システムの概要ブロック図
【図２】同装置のサーバーの詳細ブロック図
【図３】同装置の主端末の詳細ブロック図
【図４】同装置の従端末の詳細ブロック図
【図５】同装置の熱源機の詳細ブロック図
【図６】同装置のガスセンサの詳細ブロック図
【図７】同装置のセキュリティセンサの詳細ブロック図
【図８】同装置の外観図
【図９】従来例の浴室リモコンのブロック図
【符号の説明】
１　システムサーバー（サーバー）
２　台所リモコン（主端末）
２ｃ　台所リモコン表示手段（表示手段）
２ｄ　台所リモコン記憶手段（記憶手段）
２ｇ　台所リモコン音声出力手段（音声出力手段）
２ｋ　台所リモコンサーバー通信手段（サーバー通信手段）
３　浴室リモコン（従端末）
５　ガスセンサ（検出機器）
６　窓開閉センサ（検出機器、セキュリティセンサ）
１１　音声通信手段
１３　機器通信手段
１４　サーバー通信手段
１５　インターネット（外部ネットワーク）
【図１】
2004133757.tif 000003
【図２】
2004133757.tif 000004
【図３】
2004133757.tif 000005
【図４】
2004133757.tif 000006
【図５】
2004133757.tif 000007
【図６】
2004133757.tif 000008
【図７】
2004133757.tif 000009
【図８】
2004133757.tif 000010
【図９】
2004133757.tif 000011